(57)【要約】【課題】一定数のパチンコ玉を簡単にして確実に収容でき、収容された全てのパチンコ玉を確実に出し切る様にしたパチンコ玉計数カップを提供する。【解決手段】逆正四角錐台状にパチンコ玉収容部２を凹設し、該パチンコ玉収容部２は、その内底部３から順次に複数のパチンコ玉Ｐを多段P1、P2、P3…に積重配列し、各段P1、P2、P3…の収容パチンコ玉数は最下段P1から各上段毎P2、P3…に小さい順に割り当てられた序数の自乗数と等しく設定する。【選択図】図７
2011062323.tif 000002
【特許請求の範囲】
【請求項１】
逆正四角錐台状にパチンコ玉収容部を凹設し、該パチンコ玉収容部は、その内底部から順次に複数のパチンコ玉を多段に積重配列し、各段の収容パチンコ玉数は最下段から各上段毎に小さい順に割り当てられた序数の自乗数と等しく設定したことを特徴とするパチンコ玉計数カップ。
【発明の詳細な説明】
【技術分野】
【０００１】
本発明は、パチンコ玉の計数カップに関する。
【背景技術】
【０００２】
従来、この種のパチンコ玉計数カップとしては、特許文献１に開示されている様に、その開口部から底部までの全長が比較的長く形成され、その内側面の長手（全長）方向に沿ってパチンコ玉の外径と同幅間隔に複数の仕切板を平行配置すると共に、カップ開口部には仕切板間に配列されるパチンコ玉の堰止め板を設けている。
そして、大量の出玉（パチンコ機の入賞口に入って獲得したパチンコ玉）を収容可能なパチンコ玉収容箱（以下、大量収容箱と称する。）からパチンコ機に備えられた打球供給皿へパチンコ玉を移すときに、これらを計数カップで何杯か掬って多くの遊技者が目安としている所定の貸し玉料金、例えば１０００円あたりでパチンコ機のスタートチャッカーに弾き入れられたパチンコ玉の入賞個数を勘定し、少ない資金で長く遊べるパチンコ機を選択する様にしている。
【先行技術文献】
【特許文献】
【０００３】
【特許文献１】実用新案登録第３１３１７８５号公報
【発明の概要】
【発明が解決しようとする課題】
【０００４】
しかしながら、上記構成のパチンコ玉計数カップでは、仕切板間に規定数のパチンコ玉が入り込む様に大量収容箱内のパチンコ玉を多めに掬い上げ、カップ開口部を斜め下向きにして余分なパチンコ玉を大量収容箱内ヘ流し出す際に、仕切板間のパチンコ玉が余剰分と一緒に流れ出てしまってもそのことに気付かずに打球供給皿へ移してしまったり、計数カップ内のパチンコ玉を打球供給皿へ移し出す際に遊技に熱中するあまり、パチンコ玉がカップ開口部の堰止め板に引っ掛かっていることを気にとめず、再度の掬い上げのため大量収容箱へ計数カップを戻すなどこの計数カップによる確実な計数や打球供給皿への所望数の移送ができない課題を有している。
そこで、本発明では、一定数のパチンコ玉を簡単にして確実に収容でき、収容された全てのパチンコ玉を確実に出し切る様にしたパチンコ玉計数カップを提供することを目的としている。
【課題を解決するための手段】
【０００５】
上記課題に鑑み、本発明のパチンコ玉計数カップは、逆正四角錐台状にパチンコ玉収容部を凹設し、該パチンコ玉収容部は、その内底部から順次に複数のパチンコ玉を多段に積重配列し、各段の収容パチンコ玉数は最下段から各上段毎に小さい順に割り当てられた序数の自乗数と等しく設定したことを特徴とする。
【発明の効果】
【０００６】
要するに本発明は、上記の様に構成したので、下段に収容配列されたパチンコ玉群において、外側では収容部の内壁面とこれに隣接するパチンコ玉間と、内側では隣接するパチンコ玉同士間の夫々に空隙を生じ、これらの空隙は正方形の縦横を等間隔に区切った格子点上に各々が位置すると共に、下段のパチンコ玉群の直上段に収容されるパチンコ玉数に一致するため、各空隙に上段の各パチンコ玉が必然と過不足なく安定的に嵌まり込み、これにより上段のパチンコ玉は、下段のパチンコ玉によって構成される前記格子点（空隙）上に整然と規則的にして確実に配列できる。
【０００７】
この様に、斜め上向きに拡開したパチンコ玉収容部に下段より上段の収容パチンコ玉数が多く、しかも各段のパチンコ玉は整然と配列されるので、大量収容箱内のパチンコ玉を掬い上げるだけで、パチンコ玉は簡単にパチンコ玉収容部の内底部から順番に安定的に過不足なく詰められ、常に一定数のパチンコ玉を正確にして確実に汲み取ることができ、かかる状態のパチンコ玉計数カップをパチンコ機の打球供給皿に対し傾けるだけで簡単容易にパチンコ玉収容部内の全てのパチンコ玉を出し切ることができる。
【０００８】
従って、例えばパチンコ玉収容部における最下段に序数３を割り当てて３段積みとした場合、最下段から各上段毎に割り当てられた序数は下から順に３、４、５であり、各段の収容パチンコ玉数は最下段から順に、３の自乗の９個、４の自乗の16個、５の自乗の25個で、パチンコ玉計数カップにおけるパチンコ玉の全収容個数が50個となるので、パチンコ機の打球供給皿へのパチンコ玉移送数が50の倍数で比較的簡単に算出しやすく便利であると共に、パチンコ玉の直径が11mmであること及びパチンコ玉収容部にパチンコ玉を３段積みに収容するため、全体が掌サイズでパチンコ玉の汲み出し操作が片手で容易に行える等その実用的効果甚だ大である。
【図面の簡単な説明】
【０００９】
【図１】本発明に係るパチンコ玉計数カップの一例を示す斜視図である。
【図２】同上平面図である。
【図３】同上正面図である。
【図４】同上底面図である。
【図５】パチンコ玉収容部の最下段にパチンコ玉を収容した状態を示す図であり、(a) はその平面図、(b) はその断面図である。
【図６】パチンコ玉収容部の２段目までパチンコ玉を積重収容した状態を示す図であり、(a) はその平面図、(b) はその断面図である。
【図７】パチンコ玉収容部の３段目までパチンコ玉を積重収容した状態を示す図であり、(a) はその平面図、(b) はその断面図である。
【図８】他の実施例を示す断面図である。
【発明を実施するための形態】
【００１０】
以下本発明の実施の一形態例を図面に基づいて説明する。
本発明に係るパチンコ玉計数カップ１（以下、単にカップ１と称する。）は、紙製、金属製、プラスチック製など剛性を有する素材、好ましくは透明なプラスチック製にて一体形成してなり、開口部を正方形と成した逆正四角錐台状にパチンコ玉収容部２（以下、単に収容部２と称する。）を凹設している。
尚、カップ１は、図示例では厚みが一定で外形も、収容部２と同様に逆正四角錐台状に形成しているが、外形は何ら限定するものでない。
【００１１】
収容部２は、正方形状に形成された内底部３から順次に複数のパチンコ玉Ｐを多段P1、P2、P3…に積重配列するものにして、各段P1、P2、P3…の収容パチンコ玉数は最下段P1から各上段 P2 、P3…毎に小さい順に割り当てられた序数の自乗数と等しく設定している。
【００１２】
即ち、収容部２における最下段P1に序数１を割り当ててｎ段積みとした場合、最下段P1から各上段 P2 、P3…毎に割り当てられた序数は最下段P1から順に１、２、３・・・ｎであり、各段P1、 P2 、P3…の収容パチンコ玉数は最下段P1から順に、１の自乗の１個、２の自乗の４個、３の自乗の９個、・・・ｎの自乗のn2個となる。
よって、その全収容玉数は、
ｎ（ｎ＋１)(２ｎ＋１）／６個（但し、収容部２はパチンコ玉Ｐを多段P1、P2、P3…に積重配列するため、ｎは２以上の最上段Ｐn に割り当てられた序数）となる（図８参照）。
【００１３】
又、収容部２における最下段P1に２以上の序数を割り当ててｎ段積みとした場合、例えば最下段P1に序数２を割り当てると、各段P1、P2、P3…の収容パチンコ玉数は最下段P1から順に、序数２の自乗の４個、序数３の自乗の９個、序数４の自乗の16個、・・・序数ｎの自乗のn2個となり、或いは最下段P1に序数３を割り当てると、各段P1、P2、P3…の収容パチンコ玉数は最下段P1から順に、序数３の自乗の９個、序数４の自乗の16個、序数５の自乗の25個、・・・序数ｎの自乗のn2個となる。
よって、その全収容玉数は、
｛ｎ（ｎ＋１)(２ｎ＋１）／６−ｍ（ｍ＋１)(２ｍ＋１）／６｝個（但し、収容部２はパチンコ玉Ｐを多段P1、P2、P3…に積重配列するため、ｎは最上段Ｐn に割り当てられた３以上の序数、ｍは最下段P1に割り当てられた序数から１減じた数）となる（図１〜７参照）。
【００１４】
そして、図１〜７に示すカップ１は、パチンコ玉Ｐを３段P1、P2、P3に積重するものにして、最下段P1から各上段P2、P3毎に割り当てられた序数は下から順に３、４、５であり、各段P1、P2、P3の収容パチンコ玉数は最下段P1から順に、３の自乗の９個、４の自乗の16個、５の自乗の25個で、カップ１におけるパチンコ玉Ｐの全収容個数を50個と成している。
ここに、パチンコ玉Ｐは直径11mmと定められているので、上記構成要件のもとに形成されたカップ１の大きさも必然的にパチンコ玉Ｐの汲み出し操作が片手で容易に行える掌サイズとなる。
図示例のものは、内底部３の四辺の各長さが29.5mmで、内底部３に対し125 度の角度を以って収容部２の内壁面４を傾斜させ、収容部２の内底部３から開口部端面５までの高さを24.0mm、肉厚を２.0mmとしている。
【００１５】
上記寸法等は何ら限定されるものでないが、上記寸法をもとに形成されたカップ１にあっては、収容部２に投入された各段P1、P2、P3のパチンコ玉Ｐはカップ１を揺らした時に各段P1、P2、P3の配列を崩さずに若干揺れ動く様に設定されており、この様に収容部２の容積を余裕をもって設定することで大量のパチンコ玉Ｐが収容された大量収容箱からカップ１でパチンコ玉Ｐを掬った時にパチンコ玉Ｐの配列が乱れていても、カップ１を揺れ動かすだけで、収容部２内のパチンコ玉Ｐ同士が揺れ動き、各段毎に過不足なく整列するので、50個のパチンコ玉Ｐを収容するカップ１を形成するうえでより望ましい寸法等といえる。
【００１６】
尚、本実施例ではパチンコ玉Ｐを３段積みにして、最下段P1に割り当てる序数を３としたものを示したが、収容部２におけるパチンコ玉Ｐの段数と最下段P1から順に割り当てる序数を変更することにより、所望のパチンコ玉数を収容できる多種類のカップを形成できる。
その一変形例として図８には、６段積みで最下段P1に割り当てる序数を１としたカップ１を示す。
このカップ１は、その形態が逆正四角錐台状であっても、底部が極端に先細りして直立させるには不安定なため、底部に脚部６を形成している。
ただ、カップ１杯におけるパチンコ玉Ｐの全収容個数と、そのカップ１による定数のパチンコ玉Ｐの汲み出し操作性からすると、図１〜７に示す50個収容タイプのカップ１が最良と考えられる。
【００１７】
上記の様に構成されたカップ１にあっては、下段P1、P2に収容配列されたパチンコ玉群において、外側では斜め上向きに傾斜した内壁面４とこれに隣接するパチンコ玉Ｐ間と、内側では隣接するパチンコ玉Ｐ同士間の夫々に空隙Ｓを生じ、これらの空隙Ｓは正方形の縦横を等間隔に区切った格子点上に各々が位置（図5(a)、6(a)参照）すると共に、下段P1、P2のパチンコ玉群の直上段P2、P3に収容されるパチンコ玉数に一致するため（図５〜７参照）、各空隙Ｓに上段P2、P3の各パチンコ玉Ｐが必然と過不足なく安定的に嵌まり込み、これにより上段P2、P3のパチンコ玉Ｐは、下段P1、P2のパチンコ玉Ｐによって構成される前記格子点（空隙Ｓ）上に整然と規則的に配列される。
【００１８】
この様に、斜め上向きに拡開した収容部２に下段P1、P2より上段P2、P3の収容パチンコ玉数が多く、各段P1、P2、P3…のパチンコ玉Ｐは整然と配列されるので、大量収容箱内のパチンコ玉Ｐを掬い上げるだけで、パチンコ玉Ｐは簡単に収容部２の内底部３から順番に安定的に過不足なく、常に一定数のパチンコ玉Ｐを汲み取れ、そのままカップ１をパチンコ機の打球供給皿に対し傾けるだけで収容部２内の全てのパチンコ玉Ｐを出し切ることができる。
尚、収容部２内に掬ったパチンコ玉Ｐは各段P1、P2、P3…ともに上記の如く安定良く収容されるため、最上段P3のパチンコ玉群に生ずる空隙Ｓに余分なパチンコ玉Ｐが嵌まり込むこともあるが、この場合には、指などを使って摺切り一杯にすることで簡単にカップ１を規定数のパチンコ玉Ｐで満たすことができる。
【符号の説明】
【００１９】
２  パチンコ玉収容部
３  内底部
Ｐ  パチンコ玉
P1、P2、P3…  段
【図１】
2011062323.tif 000003
【図２】
2011062323.tif 000004
【図３】
2011062323.tif 000005
【図４】
2011062323.tif 000006
【図５】
2011062323.tif 000007
【図６】
2011062323.tif 000008
【図７】
2011062323.tif 000009
【図８】
2011062323.tif 000010